(57)【要約】本発明は日本語入力装置及び方法に関するものである。本発明は「３Ｘ４」配列の１２個のキーボタンの簡便な入力装置を構成して、平仮名／片仮名／漢字で構成された日本語及び第３文字を単純且つ簡潔に入力するためのものであって、「３Ｘ４」配列の１２個のキーボタンを９個の文字キーと３個の機能キーとに区分する。  仮名１０行１０文字を９個のキーボタンに割り当てて表示した後、文字が割り当てられる９個の文字キーボタン機能を第１キーボタンと第２キーボタン機能で設定して、文字行各々を文字８段でマッピングして８個の第２キーボタンそれぞれを８段でマッチングさせ、第１キーを行選択キーで、第２キーを段指定キーで設定する。  ３個の機能キーは、平仮名／片仮名の変換キーと、濁点及び半濁点を含む文字を入力するための第３キーと、漢字及び第３文字を入力するためのメニューキーとで構成する。  上記の「３Ｘ４」配列の簡便な入力装置の構成を通じて、片仮名／平仮名／漢字で構成された日本語を単純且つ簡潔に入力することができるようにする日本語入力装置及び方法を提供する。
2011515756.tif 000002
【特許請求の範囲】
【請求項１】
表示装置と「３Ｘ４」配列の１２個のキーだけで構成される日本語入力装置において、
仮名１０行１０文字を割り当てる９個の文字キーボタン(１−９)と、平仮名／片仮名の変換キーボタンと、漢字及び第３文字を入力するためのメニューキーボタンと、濁点及び半濁点を含む文字を入力するための第３キーボタンとを含む３個の機能キーボタンとで構成され、前記９個の文字キーボタンのうちいずれか１つには２個の文字が割り当てられ、前記９個の文字キーボタンを第１キー機能と第２キー機能で設定することを特徴とする日本語入力装置。
【請求項２】
前記９個の文字キーボタンは、
文字が表示された第１キーボタンのいずれか１つの入力により、９個の第１キーボタンは第２キー機能に転換され、前記９個の第２キーのうち８個の第２キーは文字段８段に各々対応し、１つの第２キーは入力取消キーに対応することを特徴とする請求項１に記載の日本語入力装置。
【請求項３】
前記９個のキーボタンのうちいずれか１つのキーに２個の文字が割り当てられる文字は、「あ、や」行、又は「あ、わ」行、又は「や、わ」行のうちいずれか１つであり、前記キーボタンは２個の文字行を選択するように構成されることを特徴とする請求項１に記載の日本語入力装置。
【請求項４】
前記９個の文字キーボタンに、
１０行が割り当てられ、仮名文字の「あ」行と「や」行の文字で８(あ、い、う、え、お、や、ゆ、よ)段を構成し、各子音行と濁音行は３個の拗音(Ｘゃ、Ｘゅ、Ｘょ)を含む８(あ、い、う、え、お、Ｘゃ、Ｘゅ、Ｘょ)段で構成され、「わ」行は「わ、を」の２字と、撥音と促音と長音「ん、っ、ー」の３字と、３個の文章符号「。、！、？」とを含む８(わ、を、ん、っ、ー、。、！、？)段で構成して、文字キーの第２キーボタン８個に文字段各８段でマッチングさせることを特徴とする請求項１に記載の日本語入力装置。
【請求項５】
前記機能キーボタンである第３キーボタンを連続２回入力することにより半濁音「ぱ」行が直接選ばれ、９個の文字キーボタンは第２キーに転換されるように構成することを特徴とする請求項１に記載の日本語入力装置。
【請求項６】
前記９個の文字キーボタンのいずれか１つの入力により、前記文字行の文字段と数字が一対一で対応された２行多数列の文字テーブルを表示装置の画面の一側に出力することを特徴とする請求項１に記載の日本語入力装置。
【請求項７】
前記日本語入力装置は、仮名入力モードで片仮名／平仮名／漢字及び第３文字入力モードに変更できるように構成し、
片仮名／平仮名／漢字で構成された日本語及び第３文字を「３Ｘ４」配列内で入力できるように構成することを特徴とする請求項１に記載の日本語入力装置。
【請求項８】
日本語入力方法において、
(１)第１キーボタンの１つを入力して特定文字行を選択する過程と；
(２)第１キーボタンの入力により第１キーボタンの機能を第２キーボタンの機能に変換する過程と；
(３)第２キーボタンの１つを入力して第１キーボタンにより選ばれた文字行の８段の特定文字１つを入力する過程と；
(４)前記入力された特定文字を表示装置の画面に出力する過程と；
を含むことを特徴とする日本語入力方法。
【請求項９】
前記９個のキーボタンのうちいずれか１つのキーに「あ」行と「や」行を割り当てて、
前記キーボタンを入力して「あ」行と「や」行を共に選択することを特徴とする請求項８に記載の日本語入力方法。
【請求項１０】
第１キーボタン入力に文字行が選ばれると、８個の第２キーボタンのいずれか１つにより入力される文字は、
(１)「あ」行と「や」行は８(あ、い、う、え、お、や、ゆ、よ)段の文字のうちいずれか１つが入力され、
(２)子音「か、さ、た、な、は、ま、ら」行は３個の拗音(Ｘゃ、Ｘゅ、Ｘょ)を含む８個の文字(あ、い、う、え、お、Ｘゃ、Ｘゅ、Ｘょ)段の文字のうちいずれか１つが入力され、(３)「わ」行は撥音と促音と長音と文章符号とを含む８個の文字(わ、を、ん、っ、ー、。、！、？)段の文字のうちいずれか１つが入力されることを特徴とする請求項８に記載の日本語入力方法。
【請求項１１】
第１キーボタンの入力があれば、第２キーボタンの数字と対応する２行多数列の文字テーブルが表示装置の画面の一側に出力されるようにする過程を更に含むことを特徴とする請求項８に記載の日本語入力方法。
【請求項１２】
前記文字テーブルは、
第２キーボタンに割り当てられる８段の文字入力を指示する数字と、入力取消を指示する文字が表示されていることを特徴とする請求項１１に記載の日本語入力方法。
【請求項１３】
日本語入力方法において、
(１)第１キーボタンのいずれか１つを１回押して特定文字行が選ばれるようにする過程と；
(２)前記選ばれた文字行８段の仮名文字が割り当てられた第２キーボタンのいずれか１つを１回押して特定文字が入力されるようにする過程と；
を含んで総２回のキーボタン入力で特定文字のいずれか１つが入力されることを特徴とする日本語入力方法。
【請求項１４】
日本語入力方法において、
(１)第１キーボタン(か、さ、た、は)のうちいずれか１つを入力して、「か、さ、た、は」行のうち１つを選択する過程と；
(２)前記選ばれた文字行８段の第２キーボタンのいずれか１つを押して特定文字段を選択する過程と；
(３)第３キーボタンを入力して２グループ文字を選択する過程と;
を含むが、
前記キーボタンを入力する順序は、
第３キー／第１キー／第２キーまたは第１キー／第３キー／第２キーまたは第１キー／第３キー／第２キーを入力するいずれか１つの順で第２グループの特定文字を入力することを特徴とする日本語入力方法。
【請求項１５】
日本語入力方法において、
第３キーボタンを２回押して半濁音行を直接選択する過程と；
前記第３キーボタンの２回入力があれば、文字キーボタンが第２キーボタンに変換される過程と；
前記第２キーボタンのいずれか１つを入力して半濁音行８段の特定文字１つを入力することを特徴とする日本語入力方法。
【請求項１６】
前記平仮名／片仮名の入力モード変換キーボタンを入力すれば、片仮名／平仮名文字入力モードに変換され、前記変換キーボタンを１回ずつ押すことにより平仮名／片仮名入力モードに交番されることを更に含むことを特徴とする請求項８又は請求項１３のいずれか１項に記載の日本語入力方法。
【請求項１７】
日本語入力モードにおいて、漢字及び英語、数字、記号などの第３文字を入力するためにメニューキーボタンを押して漢字、英語、数字入力モードに切り替える過程を更に含み、
前記入力モードはトグルまたはサブメニュー出力方式によって変換することを特徴とする請求項８又は請求項１３に記載の日本語入力方法。
【請求項１８】
(１)日本語入力モードにおいて、メニューキーボタンの入力があれば、メニューテーブルを表示装置の画面の一側に出力する過程と；
(２)前記メニューテーブルの特定メニューキーボタンの入力があれば、該モードを実行して特定文字入力モードの文字入力を行う過程と；
を含むことを特徴とする請求項１７に記載の日本語入力方法。
【発明の詳細な説明】
【技術分野】
【０００１】
本発明は日本語入力装置及び方法に関する。
より詳しくは、「３Ｘ４」配列の１２個のキーボタンの入力装置で片仮名／平仮名／漢字からなる日本語はもちろん、英語、数字などの第３文字を自由に且つ簡潔に入力できるようにする、「３Ｘ４」配列の１２個のキーボタンのみを用いる日本語入力装置及び方法に関する。
【背景技術】
【０００２】
従来技術による「３Ｘ４」配列構造の日本語入力方法は、１０個の文字(あ、か、さ、た、な、は、ま、や、ら、わ)行を１０個のキーに割り当てた後、各キーボタンを１回押せば「あ」段の文字が入力され、２回押せば「い」段、３回押せば「う」段、４回押せば「え」段、５回押せば「お」段の文字を入力する繰返し押し方式を使う。
また、従来技術では２個の文字からなる拗音(Ｘゃ、Ｘゅ、Ｘょ)を入力するために子音と濁音(か、さ、た、な、は、ま、ら、が、ざ、だ、ば、ぱ)行の「い」段文字を入力した後、外部の機能キーボタンなどを操作し、また半母音のや、ゆ、よのキーを操作して拗音(Ｘゃ、Ｘゅ、Ｘょ)を入力する。
【０００３】
上記のような繰返し押し方式はキー入力回数が多く、また複雑な仮名入力方式は日本語の入力効率が低く、不便であるという問題点がある。
【０００４】
従来技術は、平仮名／片仮名／漢字を混用して入力するように構成された日本語の特性上、「３Ｘ４」配列の１２個のキーボタンだけでは平仮名／片仮名／漢字で構成された日本語を混用して入力することができないため、入力装置の構成の時、「３Ｘ４」配列の外部に多くの入力キーを備えることになって入力装置の構成が複雑であり、入力方法も難しいという問題点がある。
【発明の概要】
【発明が解決しようとする課題】
【０００５】
これにより、本発明の第１課題は上記のような問題点を解決するために、「３Ｘ４」配列の１２個のキーボタンだけを有して片仮名、平仮名、漢字で構成された日本語及び英語、数字、記号などの多様な第３文字を単純且つ簡潔に入力できるようにする、「３Ｘ４」配列の１２個のキーボタンで易しく構成した日本語入力装置及び方法を提供することにその目的がある。
【課題を解決するための手段】
【０００６】
本発明は「３Ｘ４」配列の１２個のキーボタンだけを有して平仮名／片仮名／漢字の３種の文字を混用して入力する日本語及び第３文字を簡潔に入力するための日本語入力装置及び方法を提供するためのものであって、「３Ｘ４」配列の１２個のキーボタンは３個の機能キーと９個の文字キーで構成される。
３個の機能キーは、平仮名／片仮名の変換キーと、濁点及び半濁点を含む文字を入力するための第３キーと、漢字及び第３文字を入力するためのメニューキーとで構成される。
９個の文字キーには仮名１０行１０文字が割り当てられる。１つのキーボタンに「あ」行と「や」行の２個の文字を割り当て、８個のキーに８個の文字(か、さ、た、な、は、ま、ら、わ)を各々割り当てる。
【０００７】
上記９個の文字キーは、行を選択するための第１キー機能と、段を入力するための第２キー機能とで設定して、第１キー機能で設定されている９個の文字キーのうちいずれか１つの入力があれば、９個の文字キーは第２キー機能に変換されるように設定する。
【０００８】
また９個の第１キーのうちいずれか１つの入力があれば、文字入力を指示する数字と文字が対応されている２行多数列の文字テーブルを表示装置の画面の一側に出力するように構成する。
【０００９】
一方、１０９個の仮名文字を８段文字テーブルでマッピングした後、９個の第１キーボタンは１０行の文字行を選択するようにし、９個の第２キー機能のキーボタンのうち８個のキーを段指定キーに設定し、１個のキーを先行文字入力を取り消すことができるように入力取消指定キーに設定する。
【００１０】
「あ」行の５(あ、い、う、え、お)個の文字と「や」行の３(や、ゆ、よ)個の文字とで８(あ、い、う、え、お、や、ゆ、よ)段を構成し、７個の子音(か、さ、た、な、は、ま、ら)行と５個の濁音(が、ざ、だ、ば、ぱ)行を拗音(Ｘゃ、Ｘゅ、Ｘょ)を含む８(あ、い、う、え、お、Ｘゃ、Ｘゅ、Ｘょ)段で構成して第２キーボタンの文字各段でマッチングさせる。
【００１１】
また、「わ」行の２個の文字「わ、を」は個別文字である撥音(ん)と、促音(っ)と、長音(ー)とを含む仮名５個の文字(わ、ん、っ、ー、を)と、３個の文章符号(。、！、？)を含む８段(わ、ん、っ、ー、を、。、！、？)でマッピングして第２キーボタンの文字各段でマッチングさせる。
【発明の効果】
【００１２】
本発明によれば、「３Ｘ４」配列の１２個のキーボタン構成内で、片仮名と平仮名と漢字と英語と数字及び多様な記号などを自由に入力し、修正することができる入力装置及び方法を提供することにより、複雑な外部キーの構成がない「３Ｘ４」配列の簡便な日本語入力装置を通じて片仮名／平仮名／漢字で構成された日本語はもちろん、英語、数字、記号などの第３文字を単純且つ簡潔に入力することができる効果がある。
【図面の簡単な説明】
【００１３】
【図１】本発明による日本語入力装置の構成を説明するための概略的なブロック図である。
【図２】２ａ乃至２ｄは３Ｘ４キーボタン構造に相応するように日本語のそれぞれが割り当てられた実施例を示した図である。
【図３】本発明に適用された第１グループ文字表を示した図である。
【図４】図３の第１グループ文字表を通じて生成された入力指示窓を示した図である。
【図５】本発明に適用された第２グループ文字表を示した図である。
【図６】図５の第２グループ文字表を通じて生成された入力指示窓を示した図である。
【図７】数字キーボタンに対応された文字テーブルの一例を示した図である。
【図８】本発明に適用されたメニューキーボタンを説明するための図である。
【図９】図８のメニューキーボタンを用いてモードを選択する方式を説明するための図である。
【図１０】本発明による日本語入力方法を説明するための動作の流れ図である。
【図１１】図１０の他の実施例を説明するための動作の流れ図である。
【発明を実施するための形態】
【００１４】
上記のような技術的課題を解決するために提案された本発明の一実施例は、表示装置と「３Ｘ４」配列の１２個のキーボタンを備える日本語入力装置において、
図２ｄに示すように、仮名１０行１０文字を９個のキーボタン(１−９)に割り当てて表した９個の文字キーボタン１と、３個の機能キーとで構成する。
上記９個のキーボタンのうちいずれか１つには２個の文字が割り当てられる。
３個の機能キーは、濁点及び半濁点を含む文字を入力するための第３キーボタン３と、平仮名／片仮名の変換キーボタン５と、漢字及び第３文字を入力するためのメニューキーボタン４とで構成している。
【００１５】
図２ａに示したように、９個の文字キーに１０行の「あ」段１０文字を割り当てたもので、数字キー１番に「あ」行と「や」行の２個の文字を割り当て、２番に「か」、３番に「さ」、４番に「た」、５番に「な」、６番に「は」、７番に「ま」、８番に「わ」、９番に「ら」行をそれぞれ割り当て、残り３個の機能キー、すなわち、＊キーに「"、ぱ」の濁点及び半濁音キー、０番キーに「メニュー」キー、＃キーに「平／片」の変換キーを各々割り当てて日本語入力装置を構成する。
【００１６】
そして９個の文字キーボタンを第１キーボタン及び第２キーボタン機能で設定し、９個の第２キーボタンのうち８個のキーを８(あ、い、う、え、お、や、ゆ、よ)段指定キーで、１個のキーをクリアー(clear)キーとして設定して、片仮名／平仮名／漢字で構成された日本語を自由に混用して入力し、修正することができるようにする。
【００１７】
また、１０９個の仮名文字を第１グループ文字と、濁点及び半濁点を含む第２グループ文字とに区分し、「あ、や」行で８個の文字(あ、い、う、え、お、や、ゆ、よ)段を構成し、「か、さ、た、な、は、ま、ら」行それぞれを３個の拗音(Ｘゃ、Ｘゅ、Ｘょ)を含む８個の文字(あ、い、う、え、お、や、ゆ、よ)段で構成して各文字段で第２キーボタンにマッチングさせて第１キーボタンの入力により８個の第２キーボタンが８個の段指定キーボタンに切り替わるようにする。
【００１８】
上記のような構成の入力装置による日本語入力方法において、(１)第１キーボタンのいずれか１つを押して特定文字行が選択されるようにする過程と；(２)第１キーボタンの入力があれば、第１キーボタンの機能を第２キーボタンの機能に変換する過程と；(３)上記選択された文字行８段の仮名文字が割り当てられた第２キーボタンのいずれか１つを押して特定文字が入力されるようにする過程と；(４)上記入力された特定文字を表示装置の画面に出力する過程とを含むことを特徴とする。
【００１９】
また、上記(１)の過程で第１キーボタンの入力があれば、第１キーボタンに表示された文字行の段と数字がそれぞれ対応された２行多数列の文字テーブルを表示装置の画面の一側に出力する過程を更に含むことを特徴とする。
【００２０】
また、濁音及び半濁音行の文字を入力するために(１)第３キー／第１キー／第２キー、(２)第１キー／第３キー／第２キー、(３)第１キー／第３キー／第２キーを入力するいずれか１つの順により第２グループの特定文字を入力する過程を含むことを特徴とする。
【００２１】
また、第３キーボタンを２回入力すれば半濁音行が直接選ばれ、９個の文字キーボタンが第２キーボタンに変換される過程を更に含むことを特徴とする。
【００２２】
また、漢字及び英語、数字、記号などの第３文字を入力するために、メニューキーボタンを押して漢字、英語、数字入力モードに切り替える過程を更に含み、上記入力モードはトグルまたはサブメニュー出力方式によって変換することを特徴とする。
【実施例】
【００２３】
以下、本発明による日本語入力装置について説明すると下記のようである。
図１は日本語入力装置の構成を概略的に示したブロック図であり、図２ｄは本発明による日本語入力装置の構成を示したものである。
図１に示したように、本発明による日本語入力装置の構成は制御部１０、入力部２０、表示部３０及び格納部４０で構成される。上記のように構成される入力装置は公知の技術であるため、詳しい説明は略する。
【００２４】
図２ｄに示したように、本発明による日本語入力装置は文字入力キー１、第３キーボタン３、メニューキーボタン４及び入力モード変換キー５で構成される。
文字入力キーボタン(１-９)は、図２ａに示したように、五十音図の１０行の文字が表示されている。文字入力キーボタンは数字キー(１-９)ボタンに１０行の文字を割り当てて表示した後、上記の文字キーを第１キーボタン機能と第２キーボタン機能とで設定する。第１キーボタンは文字が割り当てられているキーボタン(１-９)から文字行１つを選択し、第２キーボタンは上記選択された文字行の８段で特定文字のうちいずれか１つを決めて入力するように構成される。
【００２５】
第３キーボタン３は濁音及び半濁音と、濁音及び半濁音行に含まれた拗音を入力することができる機能キーボタンである。
メニューキーボタン４は図８に示したように漢字及び第３文字を入力するための文字入力モードに切り替えるキーボタンであって、平仮名及び片仮名とともに日本語を構成する漢字及び第３文字を入力するための漢字／英大文字／英小文字／数字／文章符号／特殊文字／〜などの文字入力メニューテーブルを数字キーと各入力モードが一対一で対応されたメニューテーブルを表示部３０の画面の一側に出力するように構成され、漢字／英語／数字入力モードはトグル方式で入力モードが切り替わるように構成することができる。
【００２６】
すなわち、制御部１０は、図９に示したように、使用者がメニューキーボタン４を用いて図８に示した漢字／数字／英大文字／英小文字／特殊文字の入力モードのうちいずれか１つを選ぶと、選ばれた入力モードが提供されるようにする。
入力モード変換キー５は平仮名／片仮名の入力モード変換キーボタンで平仮名を基本入力モードで設定し、変換キーを押すごとに平仮名／片仮名の入力モードに交番されるようにする。
【００２７】
図２ｂ乃至図２ｃは本発明の他の実施例による図面であって、９個の文字キーボタンに１０個の文字が割り当てられ、３個の機能キーを備えている。
図２ｂから分かるように１０行の「あ」段文字を割り当てたものであって、数字キー１番に「あ」、２番に「か」、３番に「さ」、４番に「た」、５番に「な」、６番に「は」、７番に「ま」、８番に「や」行と「わ」、９番に「ら」、０番に「メニュー」、＊キーに「"、ぱ」、＃キーに「平／片」をそれぞれ割り当てたものを示したものである。
【００２８】
そして、図２ｃに示したように、本発明の一実施例を説明すれば、まず、数字キー１番に母音「あ」行と第２母音「わ」行が割り当てられたことが図２ａと異なる入力装置の構成を示した図面である。
【００２９】
図２ａ乃至２ｃのような入力装置を構成するのは、「３Ｘ４」配列の１２個のキーボタン内で平仮名／片仮名／漢字で構成された日本語を自由に混用して入力できるようにする簡便な入力装置を構成することができるからである。
【００３０】
図３乃至図７に示した「選択」は図２ａを参照して説明した第１キーボタンに該当し、「入力」は第２キーボタンに該当する。
【００３１】
そして、図４及び図６は、制御部１０により表示部３０の画面の一側に出力された文字テーブルを示した図面であって、文字テーブルは数字キーに該当する数字と入力しようとする文字が一対一で対応されている。
【００３２】
また、図６に示したように、第１キーボタンにより特定文字行が選択された時、特定文字行の選択を取り消す取消指示文字を数字キー９番ボタンに表示することができる。
図４及び図７に示したような入力指示窓は、第１キーボタンの入力があれば第１キーボタンは第２キーボタンに切り替わると同時に入力指示窓(文字テーブル)を出力する。
すなわち、図２ａに示した入力装置の第１キーボタンに表示された文字行の１つを選択し、第２キーボタンの１つを選択すると、図７に示したようなマッチングされた文字が入力指示窓に表出される。
【００３３】
上記の第１キーボタンのうちいずれか１つ(あ、か、さ、た、な、は、ま、や、ら、わ)を入力すれば、上記第１キーボタンは第２キーボタン機能に切り替わると同時に第１キーボタンの文字行に対応した文字(あ、い、う、え、お、Ｘゃ、Ｘゅ、Ｘょ)段を表示装置の画面の一側に出力することになる。
例えば、「さ」行が表記された第１キーボタンを押せば、図４に示したように、「さ」行の文字(さ、し、す、せ、そ、しゃ、しゅ、しょ)段が選ばれる。
【００３４】
次に、第２キーボタンのいずれか１つを入力すれば上記第１キーボタンにより選ばれた「さ」行の特定文字(さ、し、す、せ、そ、しゃ、しゅ、しょ)の１つが選ばれて表示部３０の画面上に表出される。
そして、第３キーボタンは(図３)第１グループの清音(か、さ、た、は)行の文字を第３キーボタンを押して(図５)第２グループの濁音(が、ざ、だ、ば、ぱ)行の文字に変換することができる変換キーボタンである。
【００３５】
上記第３キーボタンは、第１キーボタンと第２キーボタンを押して特定清音１つを入力した後、第３キーボタンを押せば上記入力された特定清音が濁音に変換される。
上記文字入力モードで、まず第３キーボタンを押せば第２グループの濁音行を選択するように指定され、その後に第１キーボタンを押せば第２グループの濁音行の文字テーブルが出力される。
【００３６】
また、まず第１キーと第２キーを押して第１グループの特定文字を入力した後、第３キーボタンを押せば上記入力された第１グループの清音(か、さ、た、は)行の特定文字が第２グループの濁音(が、ざ、だ、ば、ぱ)行の特定文字に変換されるように構成される。
【００３７】
そして、第３キーボタンで第２グループの濁音を入力するためには、第１キーで清音(か、さ、た、は)行の文字行を選び、第２キーを押して清音１つを入力した後、第３キーボタンを１回押せば上記入力された清音(か、さ、た、は)行の特定文字が第２グループの濁音(が、ざ、だ、ば)行の特定文字に変換され、第３キーボタンを２回押して半濁音「ぱ」行を選び、第２キーを押して第２グループの半濁音「ぱ」行の特定文字の入力が確定される。
【００３８】
例えば、第１キーと第２キーで「か」行の文字(か、き、く、け、こ、きゃ、きゅ、きょ)の１つを入力し、第３キーボタンを１回押すことにより上記入力された文字が濁音「が」行の特定文字(が、ぎ、ぐ、げ、ご、ぎゃ、ぎゅ、ぎょ)に変換されて文字入力が確定される。
上述したように、第３キーボタンは第１グループの清音(か、さ、た、は)行の文字を第２グループの濁音(が、ざ、だ、ば、ぱ)行の文字に変換させる。
【００３９】
図３及び図５は１０９個の仮名文字を第１グループ文字と第２グループ文字とに区分した文字テーブルを示した図面である。図３は第１グループ文字であって仮名文字１０９字のうち、第１グループ文字は五十音図の４８字と促音(っ)と長音(ー)を更に含み、子音から拡張された２１字の拗音を更に含んだ６９個の文字である。
また、図５に示したように、第２グループ文字であって濁音及び半濁音２５字と濁音及び半濁音から拡張された１５字の拗音を更に含んだ４０個の文字である。
また、文字テーブルには文字入力取消を指示する取消を表示し、第２キーボタン９番を「取消」キーボタンとして設定して先行入力された文字を取り消すように構成することができる。
【００４０】
(日本語仮名文字の入力方法)
以下、図１１を参照して日本語仮名文字入力方法について下記のように説明する。
まず、図１１に示したように、制御部１０は、使用者によって仮名文字入力モード(Ｓ２１０)で第１キーボタン入力があれば(Ｓ２１２)キーパッドの文字入力キーは第２キーボタン機能に切り替わる(Ｓ２１４)。
【００４１】
そして、制御部１０はキーボタンの数字と対応された文字テーブルを格納部４０から表示部３０の画面の一側に出力されるようにする(Ｓ２１６)。
そして、上記表示部３０の画面の一側に出力された文字テーブルに対応された数字に該当する第２キーボタンを押して特定文字を入力(Ｓ２１８)すれば、制御部１０は上記第２キーボタンにより入力された文字が表示部３０の画面上に表示されるようにする。
【００４２】
そして、上記入力された文字を第２グループ文字に変換しようとするかどうかを判断(Ｓ２２０)する。判断結果、入力しようとする文字が２グループの濁音または拗音の特定文字である場合は、制御部１０は第２グループ文字入力を指定する第３キーボタンが入力(Ｓ２２２)されるかどうかを認識し、第３ボタンが入力されると表示部３０の画面上に表示する(Ｓ２２４)。
【００４３】
また、制御部１０は第２グループ文字に切り替えて入力させて表示部３０の画面上に表示(Ｓ２２４)されるようにする。
また、制御部１０は使用者による他の入力があるかどうかを判断して(Ｓ２２６)、入力がある場合は、制御部１０は上記Ｓ２１２過程から繰り返して行われるようにして、仮名文字を入力し、さらに入力する文字がない場合は、終了する。
以下、図１１を参照して日本語及びメニューモードの第３文字入力方法を説明する。
【００４４】
(日本語及び第３文字の入力方法)
図１０に示したように、制御部１０は日本語入力装置で日本語文字を入力するために日本語文字入力モードに進入する(Ｓ１０２)。
この時、日本語入力モードは基本的に平仮名入力モードで設定されているのが望ましい。
【００４５】
また、制御部１０は現在モードが平仮名入力モードであるかどうかを判断して(Ｓ１０４)、平仮名入力モードであれば制御部１０は平仮名入力モードに進入して平仮名文字を入力することができるようにサービスする(Ｓ１０６)。
現在、全体が平仮名入力モードではない場合、制御部１０は片仮名入力モードであるかどうかを判断する(Ｓ１０８)。
【００４６】
判断結果、片仮名入力モードであれば、制御部１０は片仮名文字を入力することができるようにサービスする(Ｓ１１０)。
そして、現在モードが片仮名モードではない場合、制御部１０はメニューキーボタンが押されてメニュー入力モードに切り替っている状態であるかどうかを判断する(Ｓ１１２)。
【００４７】
上記の判断結果、メニューキーボタンが選ばれてメニュー入力モードである場合、制御部１０は格納部４０でキーボタンの数字と対応されたメニューテーブルを呼び出して表示部３０の画面の一側に出力(Ｓ１１６)する。
【００４８】
また、制御部１０は上記メニューテーブルを通じて出力されたモードの中で１つのモードを選択したかをチェックして、現在モードを選択されたモードに切り替え(Ｓ１１８)た後、入力される該当文字を表示部３０の画面上に出力する(Ｓ１２０)。
また、制御部１０は該当文字が入力されるかどうかを判断して(Ｓ１２２)、入力された場合は、Ｓ１２０過程から繰り返して行われるようにし、そうではない場合は、仮名文字が入力されるかどうかを判断して(Ｓ１２４)、仮名文字が入力された場合は、Ｓ１０４過程から繰り返して行われるようにする。
【００４９】
本発明の他の実施例は日本語入力方法において、日本語文字入力のメニュー入力モードで、(１)メニューキーを入力する過程と；(２)メニューキーの入力があればメニュー入力モードを実行してメニューテーブルを読み出して上記メニューテーブルを表示装置の画面の一側に出力する過程と；(３)上記メニューテーブルの特定メニューキーの特定メニューを選択する過程と；(４)上記メニューテーブルの特定メニューキーの入力があれば、該当メニュー入力モードを実行して該当メニューの文字入力を行う過程とを；含むことを特徴とする。
【００５０】
以上の本発明は上記の実施例により限定されず、当業者により多様な変形及び変更が可能であり、これは添付の請求項に含まれる本発明の趣旨と範囲に含まれる。
【産業上の利用可能性】
【００５１】
本発明は「３Ｘ４」配列の１２個のキーボタンだけを有し、片仮名／平仮名／漢字で構成された日本語及び英語、数字、記号などの第３文字を自由に且つ簡潔に入力することができる。従って本発明による「３Ｘ４」配列の簡便な日本語入力装置は、構成が単純であり、入力方法が簡潔であり、文字入力に制約がないため、携帯電話及び有無線通信装置、リモートコントローラー、ナビゲーターなど簡易な日本語入力装置を必要とする各種電子及び産業機器に広く活用することができる。
【符号の説明】
【００５２】
１０：制御部    ２０：入力部
３０：表示部    ４０：格納部
【図１】
2011515756.tif 000003
【図２】
2011515756.tif 000004
【図３】
2011515756.tif 000005
【図４】
2011515756.tif 000006
【図５】
2011515756.tif 000007
【図６】
2011515756.tif 000008
【図７】
2011515756.tif 000009
【図８】
2011515756.tif 000010
【図９】
2011515756.tif 000011
【図１０】
2011515756.tif 000012
【図１１】
2011515756.tif 000013
【国際調査報告】
2011515756.tif 000014
2011515756.tif 000015
2011515756.tif 000016
2011515756.tif 000017